(57)【要約】  所望の知覚体験のためのメディア項目のプレイリストの作成には、該所望の知覚体験に適するメディア項目を検索する及び選択するための多くのアクションが必要である。本発明は、プレイリストを使用せずに知覚体験を作るための代替的なものを提供する。この目的のため、本発明は、コンテンツ関連の複数の属性/値ペアのうちの少なくとも１つに各々リンクされている複数のメディア項目から、メディア項目を選択する方法（１）であって、前記複数の属性/値ペアの少なくとも１つの属性に関して、該少なくとも１つの属性に対する所定値を有するメディア項目の選択の少なくとも２つの所望の確率を規定し、所望の確率が規定されている少なくとも２つの所定値の所望の確率分布（２２）を得るステップ（１０）と、前記所望の確率分布（２２）に従って、前記少なくとも２つの所定値から実際の値を選択するステップ（１４）と、前記複数のメディア項目のうちの、前記実際の値と該実際の値にリンクされている前記属性とに対応する属性/値ペアを有するものを選択するステップ（１６）とを有する方法（１）を提供する。本発明は、更に、メディア項目を選択するシステム（１）及びメディアプレーヤ（５）を提供する。
2007504578.tif 000002
【特許請求の範囲】
【請求項１】
コンテンツ関連の複数の属性/値ペアのうちの少なくとも１つに各々リンクされている複数のメディア項目から、メディア項目を選択する方法であって、
−  前記複数の属性/値ペアの少なくとも１つの属性に関して、該少なくとも１つの属性に対する所定値を有するメディア項目の選択の少なくとも２つの所望の確率を規定し、所望の確率が規定されている少なくとも２つの所定値の所望の確率分布を得るステップと、
−  前記所望の確率分布に従って、前記少なくとも２つの所定値から実際の値を選択するステップと、
−  前記複数のメディア項目のうちの、前記実際の値と該実際の値にリンクされている前記属性とに対応する属性/値ペアを有するものを選択するステップと、
を有する方法。
【請求項２】
複数のメディア項目からメディア項目を選択するステップが、
−  ユ―ザが、ユーザ入力によって次のメディア項目を再生するように指示すること、
−  先行するメディア項目が再生を終了した、
−  先行するメディア項目が終了にほぼ近付いた、
−  所定期間が経過した、及び
−  リモート信号が受信された、
の少なくとも１つのイベントにおいて実施される、請求項１に記載の方法。
【請求項３】
規定する前記ステップが、種々の属性に対して少なくとも２回実施され、少なくとも２つの所定値の少なくとも２つの異なる所望の確率分布を得る、請求項１に記載の方法であって、
−  前記少なくとも２つの異なる所望の確率分布に従って、前記少なくとも２つの所定値から少なくとも２つの実際の値を選択するステップと、
−  前記複数のメディア項目のうちの、前記少なくとも２つの実際の値と該少なくとも２つの実際の値にリンクされている前記属性とに対応する属性/値ペアを有するものを選択するステップと、
を更に有する方法。
【請求項４】
規定する前記ステップが少なくとも２回実施され、開始時点に規定された少なくとも２つの所定値の第１の所望の確率分布と、後の時点に規定された少なくとも２つの所定値の少なくとも１つの更なる所望の確率分布とを得る、請求項１に記載の方法であって、
−  少なくとも２つの所定値の適応化された所望の確率分布を得るように、前記第１の所望の確率分布を、前記少なくとも１つの更なる所望の確率分布に従って経時的に適応化させるステップと、
−  前記適応化された所望の確率分布に従って、前記少なくとも２つの所定値から実際の値を選択するステップと、
−  前記複数のメディア項目のうちの、前記実際の値と該実際の値にリンクされている前記属性とに対応する属性/値ペアを有するものを選択するステップと、
を更に有する方法。
【請求項５】
規定する前記ステップが少なくとも２回実施され、少なくとも２つの所定値の少なくとも２つの所望の確率分布を得る、請求項１に記載の方法であって、
−  前記少なくとも２つの所望の確率分布を、少なくとも２つの所定値の組み合わされた所望の確率分布に組み合わせるステップと、
−  前記組み合わされた所望の確率分布に従って、前記少なくとも２つの所定値から実際の値を選択するステップと、
−  前記複数のメディア項目のうちの、前記実際の値と該実際の値にリンクされている前記属性とに対応する属性/値ペアを有するものを選択するステップと、
を更に有する方法。
【請求項６】
規定する前記ステップが、前記少なくとも２つの所定値に対応する少なくとも２つのパイ部を有するパイチャートであって、該パイ部は前記少なくとも２つの所望の確率に依存した割合を有しているパイチャートを規定する及び視覚化することによって実施される、請求項１に記載の方法。
【請求項７】
実際の値を選択する前記ステップが、
−  前記パイチャートを回転させるステップと、
−  前記パイチャートがランダムな位置に停止するまで、該パイチャートを減速するステップと、
−  前記パイチャートが停止した前記位置に依存して、該パイチャートのパイ部に対応する前記実際の値を選択するステップと、
を有する請求項６に記載の方法。
【請求項８】
コンテンツ関連の複数の属性/値ペアのうちの少なくとも１つに各々リンクされている複数のメディア項目から、メディア項目を選択するシステムであって、
−  前記複数の属性/値ペアの少なくとも１つの属性に関して、該少なくとも１つの属性に対する所定値を有するメディア項目の選択の少なくとも２つの所望の確率を規定し、所望の確率が規定されている少なくとも２つの所定値の所望の確率分布を得る手段と、
−  前記所望の確率分布に従って、前記少なくとも２つの所定値から実際の値を選択する手段と、
−  前記複数のメディア項目のうちの、前記実際の値と該実際の値にリンクされている前記属性とに対応する属性/値ペアを有するものを選択する手段と、
を有するシステム。
【請求項９】
−  前記少なくとも２つの所定値に対応する少なくとも２つのパイ部を有するパイチャートであって、前記パイ部は前記少なくとも２つの所望の確率に依存した割合を有するパイチャートを規定する手段と、
−  前記パイチャートを視覚化する手段と、
を更に有する請求項８に記載のシステム。
【請求項１０】
−  前記パイチャートを回転させる手段と、
−  前記パイチャートが、ランダムな位置に停止するまで、該パイチャートを減速する手段と、
−  前記パイチャートが停止した前記位置に依存して、該パイチャートのパイ部に対応する前記実際の値を選択する手段と、
を更に有する請求項９に記載のシステム。
【請求項１１】
前記パイチャートが減速し始める瞬間を選択する手段を更に有する、請求項１０に記載のシステム。
【請求項１２】
前記パイチャートを減速する速度を調整する手段を更に有する、請求項１０に記載のシステム。
【請求項１３】
前記パイチャートを現在の位置に保持し、前記複数のメディア項目のうちの、先行する選択された実際の値と該先行する選択された実際の値にリンクされている前記属性とに対応する属性/値ペアを有するものを選択する手段を更に有する、請求項１０に記載のシステム。
【請求項１４】
−  複数のメディア項目を記憶する手段と、
−  前記複数のメディア項目を再生する手段と、
−  請求項８に記載の前記複数のメディア項目からメディア項目を選択するシステムと、
を有するメディアプレーヤ。
【発明の詳細な説明】
【技術分野】
【０００１】
本発明は、複数のメディア項目からのメディア項目の選択に関する。本発明は、更に、メディアプレーヤに関する。
【背景技術】
【０００２】
メディアプレーヤ（例えば、ＭＰ３プレーヤ）において、ある状況に適した知覚体験を作るために、ユーザによって、プレイリストがしばしば作成される。例えば、前記プレイリストとは、パーティ、ロマンティックな夜又はジョギングに適した複数のメディア項目であっても良い。前記複数のメディア項目から、前記メディアプレーヤはメディア項目を選択する（この選択は、ランダムな選択であっても良い）。米国特許出願第２００１／００４５９６０Ａ１号において、プレイリストを作成する又は既存のプレイリストを交互させる方法を実施するメディアプレーヤが、提示されている。提示されている前記メディアプレーヤは、オーディオトラックを再生し、該オーディオトラックは、各トラックの中身を記述するのに使用されている１つ以上のメタタグと関連付けられている。メタタグの例は、アーティスト名、曲名、アルバム名及び日付である。新しいプレイリストを作成する際、ユーザは、メタタグを選択することができる。次いで、前記メディアプレーヤは、選択された前記メタタグに対応する全ての曲（例えば、選択されたアーティストによる全ての曲）をプレイリストに付加することにより、該プレイリストを作成する。代替的には、ユーザは、前記選択されたメタタグに対応するメタタグを有する曲から複数の曲を選択することによって、プレイリストを作成することもできる。
【発明の開示】
【発明が解決しようとする課題】
【０００３】
本発明の目的は、複数のメディア項目からのメディア項目の選択を有利な態様で提供することにある。
【課題を解決するための手段】
【０００４】
この目的を達成するために、本発明は、添付の独立請求項において特定されている方法、システム及びメディアプレーヤを提供する。有利な実施例は、添付の従属請求項に規定されている。
【０００５】
ＭＰ３プレーヤ又はコンパクトディスクプレーヤのようなメディアプレーヤのユーザが、ある状況に適した知覚体験を作りたいと願う場合、その場合に適したプレイリストを作成する必要がある。前記のようなプレイリストの作成には、意図されている状況に適したメディア項目を検索する及び選択するための多くのアクションが必要である。更に、適切なプレイリストの作成には、メディア項目の利用可能な収集に関するユーザの知識が必要である。例えば、前記メディア項目が楽曲である場合、ユーザは、例えば、スタイル、アーティスト及び発売年等に関するような楽曲の利用可能な収集に関して、音楽知識を有している必要がある。更に、新しい状況又は新しいムードの度に、新しいプレイリストの作成が必要である。従って、プレイリストは、所望の知覚体験を作るのに柔軟な解決策を提供していない。プレイリストの作成を必要とせずに、所望の知覚体験を作るためのメディア項目を選択することが有利である。本発明の見地によれば、各々がコンテンツ関連の複数の属性/値ペアのうちの少なくとも１つにリンクされている複数のメディア項目から、メディア項目を選択する方法であって、前記複数の属性/値ペアの少なくとも１つの属性に関して、前記少なくとも１つの属性に関する所定値を有するメディア項目の選択の少なくとも２つの所望の確率を規定するステップと、所望の確率が規定されている少なくとも２つの所定値の所望の確率分布を得るステップと、前記少なくとも２つの所定値から、前記所望の確率分布に従って実際の値を選択するステップと、前記複数のメディア項目のうちの、前記実際の値と該実際の値にリンクされている前記属性とに対応する属性/値ペアを有するものを選択するステップとを有する方法を提供する。前記複数のメディア項目の各々は、複数の属性/値ペアのうちの少なくとも１つにリンクされている。例えば、前記メディア項目は、楽曲であっても良く、該楽曲は、例えば、アーティスト、スタイル、ジャンル、テンポ、テンポレンジ、使用楽器、人気、再生された回数、リリースの時期、リリース年及びリリース年代（decade）の属性の少なくとも１つにリンクされることができる。メディア項目から、前記属性は値にリンクされており、例えば、楽曲は、属性「スタイル」に関する値「ラップ」と、属性「テンポ」に関する値「速い」とを有することができる。本発明は、少なくとも２つの所定値の所望の確率分布を規定することにより、プレイリストを作成する必要なく知覚体験が作られることができるという洞察に基づいている。比較的容易な態様で、ユーザは、少なくとも１つの属性を選択し、該少なくとも１つの属性に対する所定値を有するメディア項目の選択の少なくとも２つの所望の確率を規定することにより、所望の知覚体験を規定することができる。例えば、音楽のリスナは、２０パーセント「ラップ」、３０パーセント「ダンス」及び５０パーセント「ジャズ」の所望の確率分布を規定することができる。この場合、前記値は、全て、同一の属性「スタイル」にリンクされているが、複数の属性にリンクされている所定値の確率分布を規定することもできる。例えば、リスナは、２０パーセント「ジャミロクワイ」、３０パーセント「ダンス」及び５０パ��セント「ジャズ」の確率分布を規定することもできる。値「ジャミロクワイ」は、属性「アーティスト」にリンクされているが、他の値は、属性「スタイル」にリンクされている。更に、残りの属性/値ペアに関する確率を規定することもできる。この場合、値は、選択の所望の確率が規定されている前記少なくとも２つの所定値を除いた、属性「残り」にリンクされている全ての値であっても良い。少なくとも２つの所定値の複数の所望の確率分布を規定することもでき、該所望の確率分布は、組み合わされ、この結果、所望の知覚体験を生じる。本発明の実施例によれば、開始時点で規定された第１の所望の確率分布と、後の時点で規定された少なくとも１つの他の所望の確率分布とを規定することができ、前記第１の所望の確率分布は、後の時点で規定された前記少なくとも１つの他の所望の確率分布に従って、経時的に適応化され、この結果、適応化された所望の確率分布を得ることができる。メディア項目の選択は、前記適応化された所望の確率分布を使用することによって実施される。前記第１の所望の確率分布を経時的に適応化することによって、経時的に変化する知覚体験を得ることができる。例えば、音楽項目が曲である場合、前記知覚体験は、夜の始まりには大音量の音楽体験であり、その夜の終わりにはロマンティックな音楽体験であっても良い。本発明の更なる実施例によれば、少なくとも２つの所望の確率分布が、組み合わされた所望の確率分布に組み合わされ、該組合わされた所望の確率分布が、メディア項目の選択に使用される。例えば、２人のユーザが、所望の確率分布を各々規定していても良く、該所望の確率分布は、互いに異なり得る。前記ユーザが、両方のユーザに対して単一のメディアプレーヤを有する同じ環境に居る場合、前記２つの所望の確率分布を、単一の組み合わされた所望の確率分布に組み合わせるのが有利であり、該単一の組み合わされた所望の確率分布は、所望の知覚体験に関して両方のユーザに対する折衷（compromise）であり得る。前記所望の確率分布は、確率の平均を取ることにより、又は規定されている所定値及び規定されている確率に依存して、所定値を付加する／削除することにより、組み合わされることができる。一方のユーザの所望の確率分布に関する情報を、所望の確率分布を組み合わせるように基地局に又は他方のユーザに、送信する必要があり得ることに留意されたい。
【０００６】
少なくとも２つの所定値の所望の確率分布が規定されている場合、実際の値は、前記少なくとも２つの所定値の所望の確率分布に従って選択される。前記実際の値と該実際の値にリンクされている属性とは、対応する属性/値ペアを有するメディア項目を選択するのに使用される。対応する属性/値ペアを有する複数のメディア項目が存在する場合、これらのメディア項目からのランダムな選択又は他の種類の選択が実施されることもできる。上述の例において、ＭＰ３ファイルのような楽曲を再生するメディアプレーヤが紹介されているが、本発明は、ビデオプレーヤ若しくはディジタルフォトビューアのような他のメディアプレーヤ、又はラジオ局、テレビ局若しくはインターネットサービス等において使用されることもできる。
【０００７】
本発明の実施例において、所定値の前記所望の確率分布は、前記少なくとも２つの所定値に対応している少なくとも２つのパイ部を有するパイチャートを規定することによって規定され、該パイ部は、前記少なくとも２つの所望の確率に依存した割合を有する。前記パイチャートは、比較的容易な仕方で、ユーザによって規定されることができる。更に、所望の知覚体験は、比較的容易な、ユーザフレンドリな態様で視覚的に明確にされることもできる。
【０００８】
本発明の更なる実施例において、前記パイチャートを回転させ、該パイチャートがランダムな位置で停止するまで該パイチャートを減速させ、該パイチャートが停止した位置に依存して該パイチャートのパイ部に対応する実際の値を選択することにより、前記パイチャートは、選択の手順をユーザに視覚化するのに使用される。視覚化のこの方法は、ルーレット盤の視覚化に喩えられることができ、前記選択の手順を視覚化するユーザフレンドリで対話型の態様を提供している。ユーザとの更なる双方向性を達成するように、回転するパイチャートが減速し始める時点を、ユーザが選択することも可能である。又は、ユーザが、例えば、前記回転するパイチャートにブレーキをかける若しくは回転抵抗を調整することにより、前記パイチャートを減速する速度を調整することもできる。ユーザが次のメディア項目を選択する際、先行する選択された実際の値を使用するためにパイチャートを保持させることもできる。
【発明を実施するための最良の形態】
【０００９】
本発明の上述の及び他の見地は、本明細書に記載される実施例を参照して、明らかになり説明される。
【００１０】
図１は、本発明の実施例による複数のメディア項目からメディア項目を選択する方法を表わすブロック図を示している。前記メディア項目の各々は、コンテンツ関連の属性/値ペアにリンクされている。楽曲のようなメディア項目に関する属性/値ペアの例は、「ジャミロクワイ」のような値としてアーティスト名にリンクされる属性「アーティスト」、及び「ポップ」のような値として音楽スタイルにリンクされる属性「スタイル」である。前記メディア項目が映画又は映画の一部である場合における属性/値ペアの例は、「アンソニー・ホプキンス」のような値として俳優名にリンクされる属性「俳優」、「スリラー」のような値として映画のジャンルにリンクされる属性「ジャンル」である。前記メディア項目がピクチャである場合における前記属性/値ペアの例は、２００３年１月３０日のようにピクチャが撮影されたときの値として日付にリンクされる属性「日付」、及び「緑」のような値としてピクチャ内の支配色にリンクされる属性「支配色」である。前記属性/値ペアは、ユーザによって規定されることもでき、又は、例えば、今日のＣＤＤＢ及びＦｒｅｅＤＢのようなインターネットサービスからのインターネットのような他のソースから利用可能であっても良い。本明細書における不必要な詳述を避けるため、以下の例において、当該複数のメディア項目は、楽曲であるとする。当業者であれば、同様の例が、映画、映画の一部、ビデオクリップ又はデジタルピクチャのような他のメディア項目に対しても保持され得ることは、明らかであろう。ブロック図１のステップ１０において、所定値の所望の確率分布が規定される。前記所定値の所望の確率分布は、記憶されている所望の確率分布の集合からロードされることができ、該所望の確率分布は、ユーザによって記憶されても良く、又はインターネットのような他のソースから利用可能であっても良い。また、記憶されている所望の確率分布は、ユーザによって後で適応化されることもできることも可能である。図２は、本発明の実施例によるユーザインターフェース２を示している。ユーザインターフェース２は、所定値の所望の確率を規定するのに使用されることができる。ユーザインターフェース２は、属性/値ペアをユーザに表現する表２０を有する。表２０は、例えば、属性「スタイル」のような、少なくとも１つの属性Ａを有する。表２０は、前記少なくとも１つの属性Ａにリンクされる少なくとも２つの値Ｖを更に有する。属性「スタイル」に対する値の例は、「ラップ」、「ダンス」、「Ｒ＆Ｂ」、「ポップ」及び「ロック」等のような音楽スタイルである。また、値「その他」は、選択されていない残りの音楽スタイルの全てに対するオプションであることができる。ユーザは、値Ｖから値を選択することができ、選択された値、即ち値Ｖ１、Ｖ２、Ｖ３は、パイチャート２２内に位置される。値Ｖ１、Ｖ２及びＶ３は、例えば、「ラップ」、「ダンス」及び「Ｒ＆Ｂ」であり、該値は、全て同じ属性「スタイル」にリンクされているが、このことは、この場合、必須ではない。パイチャート２２は、前記選択された値の各々に対して、割合を持つパイ部Ｖ１、Ｖ２、Ｖ３を有しており、該割合は、最初は互いに等しいものであっても良い。この場合、値Ｖ１、Ｖ２、Ｖ３は、各々約３３％の割合を有する。前記パイ部Ｖ１、Ｖ２、Ｖ３の割合は、それぞれＶ１、Ｖ２及びＶ３に対応する値を有するメディア項目の選択の前記所望の確率に依存して、ユーザによって変更されることもできる。例えば、ユーザは、図２に示されているように、自身が３０％「ラップ」曲と、６０％「ダンス」曲及び１０％「Ｒ＆Ｂ」曲を聴きたいと規定することもでき、これは、それぞれＶ１、Ｖ２及びＶ３に対して、割合３０％、６０％及び１０％に対応する。これらのパーセンテージを対応するパイで表示することもできる。前記ユーザは、例えば、マウスポインタによってパイ部を選択することにより前記割合を変更することができ、即ちマウスポインタを当該パイチャートの中心に向けて移動させることにより、選択された前記パイ部の割合を減少し、又はマウスポインタを前記中心から離すことにより、選択された前記パイ部の割合を増加することができる。パイ部の割合を変更する場合、他のパイ部の割合の比率を保持するのが有利である。例えば、ユーザが、Ｖ２の６０％の割合を変更する場合、Ｖ１及びＶ３の３対１の比率は、保持されなくてはならない。ステップ１０における割合の規定は、所定値（この例においては所定値Ｖ１、Ｖ２及びＶ３）の所望の確率分布を生じる。
【００１１】
ステップ１２において、新しいメディア項目が選択される必要があるかどうかが決定される。このことは、ユーザがユーザ入力によって、自身が次の曲を聴きたいと示している場合、前の曲の再生が停止している場合、曲が終わりにほぼ近付いた場合、所定の時間の後、又はリモート信号を受信した場合、起こり得る。この場合（Ｙ）、ステップ１４において、実際の値Ｖａが、ステップ１０で規定された前記所定値の所望の確率分布に従って、該所定値から選択される。この例の場合において、新しいメディア項目が選択される必要がある場合（Ｙ）、ＶａがＶ１になる確率は１０％、ＶａがＶ２になる確率は６０％、ＶａがＶ３になる確率は３０％である。選択の手順は、図２に示されているように、ユーザインターフェース２によってユーザに視覚化されることができる。新しいメディア項目が選択される必要がある場合（Ｙ）、パイチャート２２は、ランダムな速度で、例えば矢印２４の方向に回転することができる。次いで、前記パイチャートは、ルーレット盤と同様に、停止するまで減速する。カーソル２６は、停止されたパイチャートのパイ部を指示しており、該パイチャートの所定値が、例えば、図２に示されているＶａ＝Ｖ３（「ラップ」）のように、実際の値Ｖaとして選択される。前記パイチャートは、ランダムな速度で回転する及び／又はランダムな期間内に減速するので、前記パイチャートの割合は、ルーレット盤の場合のように、所定値の選択の前記所望の確率に対応する。オプションとして、ユーザは、回転しているパイチャートが減速する速度を指示することもできる。前記ユーザは、回転するパイチャートが減速する時点を適応化することもできる。オプションで、前記ユーザは、例えば、ホールドボタンを利用することにより、前記パイチャートを現在の位置に保持することもできる。この場合、更なる選択手順に対して、新しい実際の値ではなく、現在の実際の値が使用される。前記実際の値Ｖａは、ステップ１６において使用され、実際の値Ｖａと該実際の値Ｖａにリンクされている属性とに対応する属性/値ペアを有するメディア項目が、選択される。この場合、実際の値Ｖａは、属性「スタイル」にリンクされている値「ラップ」である。選択に利用可能なメディア項目の収集において、選択された属性/値ペアに対応する１つ以上のメディア項目が存在する場合、更なる選択が実施される必要がある。この更なる選択は、ランダムな選択、又は従来技術において知られている他の種類の選択であっても良い。前記ランダムな選択は、曲が既に再生されているかどうかのパラメータ、又は曲が既に所定の経過期間、再生されているかどうかのパラメータのような、パラメータによって制約されることもできる。ステップ１６の選択手順の後、新しいメディア項目が選択される必要があるかどうかが、ステップ１２において再度決定される。
【００１２】
図３は、本発明の実施例による更なるユーザインターフェース３を示している。ユーザインターフェース３は、ユーザインターフェース２を含んでおり、更なるパイチャート３６が付加されている。前記更なるパイチャートにおいて、種々の属性に対する所定値の所望の確率分布は、パイチャート２２を規定するのと同等の仕方で規定されることができる。この場合、パイチャート３２は、所定値Ｖ４及びＶ５を有しており、該所定値Ｖ４及びＶ５は、それぞれ属性「テンポ」にリンクされている値「遅い」及び「速い」であっても良い。属性「Ａ」及び取り得る所定値Ｖは、表２０から選択されることができる。メディア項目を選択する場合、両方のパイチャートが、それぞれ矢印２４及び３４の方向にルーレット盤のように回転し、停止する。この場合、２つの所定値Ｖ３及びＶ５が、それぞれカーソル２６及び３６によって指示されており、該２つの所定値Ｖ３及びＶ５は、それぞれ異なる属性「スタイル」及び「テンポ」にリンクされている。前記属性は、同じ属性「テンポ」に対して値「遅い」及び「速い」の両方を選択するような矛盾する状況を避けるために、異なるものである必要がある。次いで、２つの選択された属性/値ペアは、共に、メディア項目を選択する際に使用される。例えば、メディア項目は、該メディア項目が、選択された属性/値ペアの両方を有する場合、選択される。従って、この場合、属性「テンポ」に対する値「速い」と属性「スタイル」に対する値「ラップ」とを有する曲が、選択される。経時的に異なる所望の確率分布を使用することも可能である。例えば、所望の確率分布２２が、メディア項目の再生のための所定期間の開始点として採用され、所望の確率分布３２が、メディア項目の再生のための所定期間の終了点として採用されることもできる。この場合、前記所望の確率分布が、異なる属性に対して規定されていることは、必須ではない。メディア項目の選択の際、例えば、所望の確率分布２２のみが使用され、該所望の確率分布２２は、所望の確率分布３２に徐々に変形される。この変形は、所定期間に渡ってパイチャート２２からパイチャート３２にモーフィングすることによって視覚化されることもできる。２つの確率分布を使用する代わりに、２つ以上の確率分布を使用することも可能である。確率分布の前記変形は、所定値を付加する若しくは削除することにより、又は経時的に所定値の所望の確率を適応化させることにより実施されることもできる。少なくとも２つの所望の確率分布が規定されている場合、前記少なくとも２つの確率分布を、組み合わされた所望の確率分布に組み合わせることも可能である。例えば、２人のユーザが、２つの所望の確率分布を規定することによって知覚体験を規定している場合、該２つの所望の確率分布は、互いに異なり得る。前記２人のユーザが、例えば、同じ室内で同じメディアプレーヤによって音楽を聴く必要がある場合、前記２つの所望の確率分布が、２つの所望の前記知覚体験の折衷を得るために、互いに組み合わされることができる。所望の確率分布の組み合わせは、所定値の付加若しくは削除によって、又は所定値の所望の確率を適応化によって実施されることができる。例えば、前記少なくとも２つの所望の確率分���からの全ての所定値が、前記組み合わされた所望の確率分布に付加されることもでき、又は所定の最小の所望の確率よりも大きい所望の確率を有する所定値が、少なくとも付加されることもできる。前記所望の確率について、所望の確率の折衷を得るために、平均が計算されても良い。
【００１３】
図４は、本発明の実施例による更に他のユーザインターフェース４を示している。属性及び値は、再び、表２０から利用可能であり得る。ユーザインターフェース４は、１つのパイチャートにおける所定値の組み合わせを有する確率分布４２を示している。例えば、所定値Ｖ１及びＶ４（それぞれ属性「スタイル」に対する値「Ｒ＆Ｂ」と、属性「テンポ」に対する値「遅い」とに対応し得る）を有するメディア項目が選択される確率２０％が存在する。パイチャート４２内の他の値は、例えば、Ｖ２（５０％の選択の所望の確率を有する属性「スタイル」に対する値「ダンス」であり得る）、及びＶ６（３０％の選択の所望の確率を有する属性「アーティスト」に対する値「ジャミロクワイ」であり得る）であり得る。メディア項目が選択される必要がある場合、パイチャート４２は、矢印４４の方向に、ルーレット盤のように回る。カーソル４６は、前記メディア項目を選択するための実際の値又は複数の実際の値を選択する。
【００１４】
図５は、本発明の実施例によるメディアプレーヤ５を示している。前記メディアプレーヤは、楽曲、ＭＰ３ファイル、コンパクトディスクの曲、映画、ＤＶＤトラック、ピクチャ及びＪＰＧファイル又は他の可能なメディア項目のうちの、少なくとも１つのメディア項目の再生に適したメディアプレーヤであり得る。メディアプレーヤ５は、ハードウェアで実施化されることもできるが、メディアプレーヤ５を、メディアプレーヤに基づくソフトウェアとして実施化することも可能である。メディアプレーヤは、メディア項目を得るための通信チャネル５０を有しており、該通信チャネル５０は、ワイヤレス接続、データバス、インターネット又は記憶媒体であり得る。通信チャネル５０が記憶媒体である場合、該記憶媒体は、システム内に固定されていてもよく、又はリムーバブルディスク若しくはメモリスティック等であっても良い。通信チャネル５０は、メディアプレーヤ５の一部であっても良いが、このことは、必須ではない。通信チャネル５０は、複数のメディア項目と、該複数のメディア項目の各々にリンクされることができる属性/値ペアとを有する。前記属性/値ペアを、通信チャネル５０ではない他の通信チャネルにおいて記憶することも可能である。例えば、前記メディア項目は、メディアプレーヤ５の一部である媒体上に記憶されることができ、前記メディア項目にリンクされている前記属性/値ペアは、インターネットから得ることもできる。メディアプレーヤ５は、選択システム５２を更に有しており、該選択システム５２は、本発明の実施例に従ってメディア項目を選択する。ユーザインターフェースは、表示器５４において視覚化されることもできる。前記表示器は、ＬＣＤ表示器、ＣＲＴモニタ、テレビジョン装置、又はユーザインターフェースの視覚化に適した他の表示器であっても良い。メディアプレーヤ５は、入力装置５６を更に有しても良く、該入力装置５６は、キーボード、コンピュータマウス、ジョイスティック、タッチスクリーン、又はユーザからの入力を得る何らかの他の適切な入力装置であり得る。メディアプレーヤ５は、メディア項目再生装置５８を更に有していても良い。メディア項目再生装置５８は、曲を再生するアンプ、及びスピーカ又はヘッドホンであり得て、場合によっては、ビデオを再生する際のＴＶスクリーン又はデジタルピクチャを表示する表示スクリーンと組み合わされることができる。
【００１５】
上述の実施例は、本発明を限定するよりは解説するものであり、当業者であれば添付請求項の範囲から逸脱することなしに、多くの代替的な実施例を設計できることに留意されたい。前記請求項において、括弧内に置かれた如何なる符号も、請求項を制限するようにみなしてはならない。「有する」という語は、請求項に記載されていない構成要素又はステップの存在を排除するものではない。本発明は、幾つか別個の構成要素を有するハードウェアによって、及び適当にプログラムされたコンピュータによって実施化することができる。幾つかの手段を列挙している装置請求項において、これらの手段の幾つかは１つの同じハードウェアの項目によって、実施化することができる。特定の手段が、相互に異なる従属請求項において引用されているという単なる事実は、これらの手段の組み合わせが有利になるように使用されることができないと示すものではない。
【図面の簡単な説明】
【００１６】
【図１】本発明の実施例による複数のメディア項目からメディア項目を選択する方法を表わすブロック図を示している。
【図２】本発明の実施例によるユーザインターフェースを示している。
【図３】本発明の更なる実施例によるユーザインターフェースを示している。
【図４】本発明の更に他の実施例によるユーザインターフェースを示している。
【図５】本発明の実施例によるメディアプレーヤを示している。
【図１】
2007504578.tif 000003
【図２】
2007504578.tif 000004
【図３】
2007504578.tif 000005
【図４】
2007504578.tif 000006
【図５】
2007504578.tif 000007
【国際調査報告】
2007504578.tif 000008
2007504578.tif 000009